【手続補正書】
【提出日】平成22年10月8日(2010.10.8)
【手続補正１】
【補正対象書類名】特許請求の範囲
【補正対象項目名】全文
【補正方法】変更
【補正の内容】
【特許請求の範囲】
【請求項１】
画像情報に基づきコンテンツを描画すると共に、転送要求に応じて、画像情報、又は修正画像情報を転送先描画装置に転送する転送元描画装置であって、
画像情報を取得する画像情報取得手段と、
転送要求に応じて、前記転送元描画装置の描画能力情報と、前記転送先描画装置の描画能力情報と、に基づいて、前記画像情報の描画に係る修正を前記転送元描画装置で行うか、前記転送先描画装置で行うかを決定する決定手段と、
前記決定手段において前記画像情報の描画に係る修正を前記転送元描画装置で行うと決定された場合、前記画像情報の描画に係る修正を行い、修正画像情報を出力する修正手段と、
前記画像情報取得手段において取得された画像情報、又は前記修正手段において出力された修正画像情報を前記転送先描画装置に転送する転送手段と、
を有することを特徴とする転送元描画装置。
【請求項２】
画像情報に基づきコンテンツを描画すると共に、転送要求に応じて、画像情報、又は修正画像情報を転送先描画装置に転送する転送元描画装置であって、
画像情報を取得する画像情報取得手段と、
転送要求に応じて、前記画像情報の描画に係る修正前の転送量と、前記画像情報の描画に係る修正後の転送量と、に基づいて、前記画像情報の描画に係る修正を前記転送元描画装置で行うか、前記転送先描画装置で行うかを決定する決定手段と、
前記決定手段において前記画像情報の描画に係る修正を前記転送元描画装置で行うと決定された場合、前記画像情報の描画に係る修正を行い、修正画像情報を出力する修正手段と、
前記画像情報取得手段において取得された画像情報、又は前記修正手段において出力された修正画像情報を前記転送先描画装置に転送する転送手段と、
を有することを特徴とする転送元描画装置。
【請求項３】
画像情報に基づきコンテンツを描画すると共に、転送要求に応じて、画像情報、又は修正画像情報を転送先描画装置に転送する転送元描画装置であって、
前記転送元描画装置と前記転送先描画装置との間の転送速度を算出する転送速度算出手段と、
画像情報を取得する画像情報取得手段と、
転送要求に応じて、前記転送速度算出手段において算出された転送速度と、前記転送元描画装置の描画能力情報と、前記転送先描画装置の描画能力情報と、前記画像情報の描画に係る修正前の転送量と、前記画像情報の描画に係る修正後の転送量と、に基づいて、前記画像情報の描画に係る修正を前記転送元描画装置で行うか、前記転送先描画装置で行うかを決定する決定手段と、
前記決定手段において前記画像情報の描画に係る修正を前記転送元描画装置で行うと決定された場合、前記画像情報の描画に係る修正を行い、修正画像情報を出力する修正手段と、
前記画像情報取得手段において取得された画像情報、又は前記修正手段において出力された修正画像情報を前記転送先描画装置に転送する転送手段と、
を有することを特徴とする転送元描画装置。
【請求項４】
転送元描画装置より転送された画像情報、又は修正画像情報を受信すると共に、修正画像情報に基づきコンテンツを描画する転送先描画装置であって、
前記転送元描画装置より転送された情報が、画像情報か、又は修正画像情報か、を判断する判断手段と、
前記判断手段において前記転送元描画装置より転送された情報が画像情報であると判断された場合、前記画像情報の描画に係る修正を行い、修正画像情報を出力する修正手段と、
前記転送元描画装置より転送された修正画像情報、又は前記修正手段において出力された修正画像情報に基づきコンテンツを描画する描画手段と、
を有することを特徴とする転送先描画装置。
【請求項５】
前記転送元描画装置からの要求に応じて、前記転送先描画装置の描画能力情報を前記転送元描画装置に通知する通知手段を更に有することを特徴とする請求項４に記載の転送先描画装置。
【請求項６】
画像情報に基づきコンテンツを描画すると共に、転送要求に応じて、画像情報、又は修正画像情報を転送先描画装置に転送する転送元描画装置が実行する情報処理方法であって、
画像情報取得手段が、画像情報を取得する画像情報取得ステップと、
決定手段が、転送要求に応じて、前記転送元描画装置の描画能力情報と、前記転送先描画装置の描画能力情報と、に基づいて、前記画像情報の描画に係る修正を前記転送元描画装置で行うか、前記転送先描画装置で行うかを決定する決定ステップと、
前記決定ステップにおいて前記画像情報の描画に係る修正を前記転送元描画装置で行うと決定された場合、修正手段が、前記画像情報の描画に係る修正を行い、修正画像情報を出力する修正ステップと、
転送手段が、前記画像情報取得ステップにおいて取得された画像情報、又は前記修正ステップにおいて出力された修正画像情報を前記転送先描画装置に転送する転送ステップと、
を含むことを特徴とする情報処理方法。
【請求項７】
画像情報に基づきコンテンツを描画すると共に、転送要求に応じて、画像情報、又は修正画像情報を転送先描画装置に転送する転送元描画装置が実行する情報処理方法であって、
画像情報取得手段が、画像情報を取得する画像情報取得ステップと、
決定手段が、転送要求に応じて、前記画像情報の描画に係る修正前の転送量と、前記画像情報の描画に係る修正後の転送量と、に基づいて、前記画像情報の描画に係る修正を前記転送元描画装置で行うか、前記転送先描画装置で行うかを決定する決定ステップと、
前記決定ステップにおいて前記画像情報の描画に係る修正を前記転送元描画装置で行うと決定された場合、修正手段が、前記画像情報の描画に係る修正を行い、修正画像情報を出力する修正ステップと、
転送手段が、前記画像情報取得ステップにおいて取得された画像情報、又は前記修正ステップにおいて出力された修正画像情報を前記転送先描画装置に転送する転送ステップと、
を含むことを特徴とする情報処理方法。
【請求項８】
画像情報に基づきコンテンツを描画すると共に、転送要求に応じて、画像情報、又は修正画像情報を転送先描画装置に転送する転送元描画装置が実行する情報処理方法であって、
転送速度算出手段が、前記転送元描画装置と前記転送先描画装置との間の転送速度を算出する転送速度算出ステップと、
画像情報取得手段が、画像情報を取得する画像情報取得ステップと、
決定手段が、転送要求に応じて、前記転送速度算出ステップにおいて算出された転送速度と、前記転送元描画装置の描画能力情報と、前記転送先描画装置の描画能力情報と、前記画像情報の描画に係る修正前の転送量と、前記画像情報の描画に係る修正後の転送量と、に基づいて、前記画像情報の描画に係る修正を前記転送元描画装置で行うか、前記転送先描画装置で行うかを決定する決定ステップと、
前記決定ステップにおいて前記画像情報の描画に係る修正を前記転送元描画装置で行うと決定された場合、修正手段が、前記画像情報の描画に係る修正を行い、修正画像情報を出力する修正ステップと、
転送手段が、前記画像情報取得ステップにおいて取得された画像情報、又は前記修正ステップにおいて出力された修正画像情報を前記転送先描画装置に転送する転送ステップと、
を含むことを特徴とする情報処理方法。
【請求項９】
転送元描画装置より転送された画像情報、又は修正画像情報を受信すると共に、修正画像情報に基づきコンテンツを描画する転送先描画装置が実行する情報処理方法であって、
判断手段が、前記転送元描画装置より転送された情報が、画像情報か、又は修正画像情報か、を判断する判断ステップと、
修正手段が、前記判断ステップにおいて前記転送元描画装置より転送された情報が画像情報であると判断された場合、前記画像情報の描画に係る修正を行い、修正画像情報を出力する修正ステップと、
描画手段が、前記転送元描画装置より転送された修正画像情報、又は前記修正ステップにおいて出力された修正画像情報に基づきコンテンツを描画する描画ステップと、
を含むことを特徴とする情報処理方法。
【請求項１０】
画像情報に基づきコンテンツを描画すると共に、転送要求に応じて、画像情報、又は修正画像情報を転送先描画装置に転送するコンピュータを、
画像情報を取得する画像情報取得手段と、
転送要求に応じて、前記コンピュータの描画能力情報と、前記転送先描画装置の描画能力情報と、に基づいて、前記画像情報の描画に係る修正を前記コンピュータで行うか、前記転送先描画装置で行うかを決定する決定手段と、
前記決定手段において前記画像情報の描画に係る修正を前記コンピュータで行うと決定された場合、前記画像情報の描画に係る修正を行い、修正画像情報を出力する修正手段と、
前記画像情報取得手段において取得された画像情報、又は前記修正手段において出力された修正画像情報を前記転送先描画装置に転送する転送手段と、
して機能させることを特徴とするプログラム。
【請求項１１】
画像情報に基づきコンテンツを描画すると共に、転送要求に応じて、画像情報、又は修正画像情報を転送先描画装置に転送するコンピュータを、
画像情報を取得する画像情報取得手段と、
転送要求に応じて、前記画像情報の描画に係る修正前の転送量と、前記画像情報の描画に係る修正後の転送量と、に基づいて、前記画像情報の描画に係る修正を前記コンピュータで行うか、前記転送先描画装置で行うかを決定する決定手段と、
前記決定手段において前記画像情報の描画に係る修正を前記コンピュータで行うと決定された場合、前記画像情報の描画に係る修正を行い、修正画像情報を出力する修正手段と、
前記画像情報取得手段において取得された画像情報、又は前記修正手段において出力された修正画像情報を前記転送先描画装置に転送する転送手段と、
して機能させることを特徴とするプログラム。
【請求項１２】
画像情報に基づきコンテンツを描画すると共に、転送要求に応じて、画像情報、又は修正画像情報を転送先描画装置に転送するコンピュータを、
前記コンピュータと前記転送先描画装置との間の転送速度を算出する転送速度算出手段と、
画像情報を取得する画像情報取得手段と、
転送要求に応じて、前記転送速度算出手段において算出された転送速度と、前記コンピュータの描画能力情報と、前記転送先描画装置の描画能力情報と、前記画像情報の描画に係る修正前の転送量と、前記画像情報の描画に係る修正後の転送量と、に基づいて、前記画像情報の描画に係る修正を前記コンピュータで行うか、前記転送先描画装置で行うかを決定する決定手段と、
前記決定手段において前記画像情報の描画に係る修正を前記コンピュータで行うと決定された場合、前記画像情報の描画に係る修正を行い、修正画像情報を出力する修正手段と、
前記画像情報取得手段において取得された画像情報、又は前記修正手段において出力された修正画像情報を前記転送先描画装置に転送する転送手段と、
して機能させることを特徴とするプログラム。
【請求項１３】
転送元描画装置より転送された画像情報、又は修正画像情報を受信すると共に、修正画像情報に基づきコンテンツを描画するコンピュータを、
前記転送元描画装置より転送された情報が、画像情報か、又は修正画像情報か、を判断する判断手段と、
前記判断手段において前記転送元描画装置より転送された情報が画像情報であると判断された場合、前記画像情報の描画に係る修正を行い、修正画像情報を出力する修正手段と、
前記転送元描画装置より転送された修正画像情報、又は前記修正手段において出力された修正画像情報に基づきコンテンツを描画する描画手段と、
して機能させることを特徴とするプログラム。
【請求項１４】
請求項１０乃至１３の何れか１項に記載のプログラムを記憶したコンピュータにより読み取り可能な記憶媒体。
【請求項１５】
転送元描画装置と転送先描画装置とがネットワークで接続された表示システムであって、
前記転送元描画装置は、
画像情報を取得する画像情報取得手段と、
転送要求に応じて、前記転送元描画装置の描画能力情報と、前記転送先描画装置の描画能力情報と、に基づいて、前記画像情報の描画に係る修正を前記転送元描画装置で行うか、前記転送先描画装置で行うかを決定する決定手段と、
前記決定手段において前記画像情報の描画に係る修正を前記転送元描画装置で行うと決定された場合、前記画像情報の描画に係る修正を行い、修正画像情報を出力する修正手段と、
前記画像情報取得手段において取得された画像情報、又は前記修正手段において出力された修正画像情報を転送先描画装置に転送する転送手段と、
を有し、
前記転送先描画装置は、
前記転送元描画装置より転送された情報が、画像情報か、又は修正画像情報か、を判断する判断手段と、
前記判断手段において前記転送元描画装置より転送された情報が画像情報であると判断された場合、前記画像情報の描画に係る修正を行い、修正画像情報を出力する修正手段と、
前記転送元描画装置より転送された修正画像情報、又は前記修正手段において出力された修正画像情報に基づきコンテンツを描画する描画手段と、
を有する表示システム。
【請求項１６】
転送元描画装置と転送先描画装置がネットワークで接続された表示システムであって、
前記転送元描画装置は、
画像情報を取得する画像情報取得手段と、
転送要求に応じて、前記画像情報の描画に係る修正前の転送量と、前記画像情報の描画に係る修正後の転送量と、に基づいて、前記画像情報の描画に係る修正を前記転送元描画装置で行うか、前記転送先描画装置で行うかを決定する決定手段と、
前記決定手段において前記画像情報の描画に係る修正を前記転送元描画装置で行うと決定された場合、前記画像情報の描画に係る修正を行い、修正画像情報を出力する修正手段と、
前記画像情報取得手段において取得された画像情報、又は前記修正手段において出力された修正画像情報を転送先描画装置に転送する転送手段とを備え、
前記転送先描画装置は、
前記転送元描画装置より転送された情報が、画像情報か、又は修正画像情報か、を判断する判断手段と、
前記判断手段において前記転送元描画装置より転送された情報が画像情報であると判断された場合、前記画像情報の描画に係る修正を行い、修正画像情報を出力する修正手段と、
前記転送元描画装置より転送された修正画像情報、又は前記修正手段において出力された修正画像情報に基づきコンテンツを描画する描画手段と、
を備える表示システム。
【請求項１７】
前記描画能力情報とは、グラフィックを描画するためのＧＰＵの処理能力であり、
前記決定手段は、前記転送元描画装置と、前記転送先描画装置と、のうち、前記描画能力情報が高い方で修正を行うことを決定することを特徴とする請求項１に記載の転送元描画装置。
【請求項１８】
前記決定手段は、
前記画像情報の描画に係る修正前の転送量が、前記画像情報の描画に係る修正後の転送量より大きい場合、前記転送元描画装置で修正を行うことを決定し、
前記画像情報の描画に係る修正前の転送量が、前記画像情報の描画に係る修正後の転送量より小さい場合、前記転送先描画装置で行うことを決定することを特徴とする請求項２に記載の転送元描画装置。
【請求項１９】
前記決定手段は、
前記転送速度算出手段において算出された転送速度と前記画像情報の描画に係る修正後のサイズとを掛けたものに、前記転送速度と前記画像情報の描画に係る修正後の転送量とを掛けたものを足したものより、前記転送速度と前記画像情報の描画に係る修正前の転送量とを掛けたものに、前記転送速度と前記画像情報の描画に係る修正後のサイズとを掛けたものとを足したものが大きい場合、前記転送元描画装置で修正を行うことを決定し、
前記転送速度算出手段において算出された転送速度と前記画像情報の描画に係る修正後のサイズとを掛けたものに、前記転送速度と前記画像情報の描画に係る修正後の転送量とを掛けたものを足したものより、前記転送速度と前記画像情報の描画に係る修正前の転送量とを掛けたものに、前記転送速度と前記画像情報の描画に係る修正後のサイズとを掛けたものとを足したものが小さい場合は前記転送先描画装置で行うことを決定することを特徴とする請求項３に記載の転送元描画装置。
【手続補正２】
【補正対象書類名】明細書
【補正対象項目名】００１０
【補正方法】変更
【補正の内容】
【００１０】
そこで、本発明は、画像情報に基づきコンテンツを描画すると共に、転送要求に応じて、画像情報、又は修正画像情報を転送先描画装置に転送する転送元描画装置であって、画像情報を取得する画像情報取得手段と、転送要求に応じて、前記転送元描画装置の描画能力情報と、前記転送先描画装置の描画能力情報と、に基づいて、前記画像情報の描画に係る修正を前記転送元描画装置で行うか、前記転送先描画装置で行うかを決定する決定手段と、前記決定手段において前記画像情報の描画に係る修正を前記転送元描画装置で行うと決定された場合、前記画像情報の描画に係る修正を行い、修正画像情報を出力する修正手段と、前記画像情報取得手段において取得された画像情報、又は前記修正手段において出力された修正画像情報を前記転送先描画装置に転送する転送手段と、を有することを特徴とする。
【手続補正３】
【補正対象書類名】明細書
【補正対象項目名】００１１
【補正方法】変更
【補正の内容】
【００１１】
また、本発明は、画像情報に基づきコンテンツを描画すると共に、転送要求に応じて、画像情報、又は修正画像情報を転送先描画装置に転送する転送元描画装置であって、画像情報を取得する画像情報取得手段と、転送要求に応じて、前記画像情報の描画に係る修正前の転送量と、前記画像情報の描画に係る修正後の転送量と、に基づいて、前記画像情報の描画に係る修正を前記転送元描画装置で行うか、前記転送先描画装置で行うかを決定する決定手段と、前記決定手段において前記画像情報の描画に係る修正を前記転送元描画装置で行うと決定された場合、前記画像情報の描画に係る修正を行い、修正画像情報を出力する修正手段と、前記画像情報取得手段において取得された画像情報、又は前記修正手段において出力された修正画像情報を前記転送先描画装置に転送する転送手段と、を有することを特徴とする。
【手続補正４】
【補正対象書類名】明細書
【補正対象項目名】００１２
【補正方法】変更
【補正の内容】
【００１２】
また、本発明は、画像情報に基づきコンテンツを描画すると共に、転送要求に応じて、画像情報、又は修正画像情報を転送先描画装置に転送する転送元描画装置であって、前記転送元描画装置と前記転送先描画装置との間の転送速度を算出する転送速度算出手段と、画像情報を取得する画像情報取得手段と、転送要求に応じて、前記転送速度算出手段において算出された転送速度と、前記転送元描画装置の描画能力情報と、前記転送先描画装置の描画能力情報と、前記画像情報の描画に係る修正前の転送量と、前記画像情報の描画に係る修正後の転送量と、に基づいて、前記画像情報の描画に係る修正を前記転送元描画装置で行うか、前記転送先描画装置で行うかを決定する決定手段と、前記決定手段において前記画像情報の描画に係る修正を前記転送元描画装置で行うと決定された場合、前記画像情報の描画に係る修正を行い、修正画像情報を出力する修正手段と、前記画像情報取得手段において取得された画像情報、又は前記修正手段において出力された修正画像情報を前記転送先描画装置に転送する転送手段と、を有することを特徴とする。
【手続補正５】
【補正対象書類名】明細書
【補正対象項目名】００１３
【補正方法】変更
【補正の内容】
【００１３】
また、本発明は、転送元描画装置より転送された画像情報、又は修正画像情報を受信すると共に、修正画像情報に基づきコンテンツを描画する転送先描画装置であって、前記転送元描画装置より転送された情報が、画像情報か、又は修正画像情報か、を判断する判断手段と、前記判断手段において前記転送元描画装置より転送された情報が画像情報であると判断された場合、前記画像情報の描画に係る修正を行い、修正画像情報を出力する修正手段と、前記転送元描画装置より転送された修正画像情報、又は前記修正手段において出力された修正画像情報に基づきコンテンツを描画する描画手段と、を有することを特徴とする。
【手続補正６】
【補正対象書類名】明細書
【補正対象項目名】００１４
【補正方法】変更
【補正の内容】
【００１４】
また、本発明は、情報処理方法、プログラム、記憶媒体及び表示システムとしてもよい。